(57)【特許請求の範囲】
【請求項１】
座部と該座部後部で起倒可能に連結する背凭れ部とからなる椅子本体適所に、空気給排装置による空気の給排気により押圧膨縮または押圧膨張保持する膨縮袋を内装したマッサージ機であって、該膨縮袋を座部及び背凭れ部に左右一対としてそれぞれ設けると共に、前記背凭れ部に設けた前記左右一対の膨縮袋を上下に複数並設してなり、
背凭れ部の起立状態において座部の左右一対からなる膨縮袋のうち片側のみを膨張させると同時に、背凭れ部において座部に最も近い左右一対からなる膨縮袋は、そのうち座部で膨張させた膨縮袋とは左右反対側の膨縮袋のみを膨張させると共に、当該背凭れ部に設けた前記左右一対の膨縮袋は、上下に隣り合う左右一対の膨縮袋が相互に対角する各膨縮袋のみが膨張するよう構成し、
座部に左右一対として設けた膨縮袋は、それぞれが座部の前後方向の軸である前後軸に向かって内向きに膨張することにより、使用者が前記座部に着座した状態で、使用者の臀部を左右一方側にひねり、前記背凭れ部に設けた膨縮袋が左右他方側にひねることにより三次元的なストレッチまたはひねりを実施することを特徴とするマッサージ機。
【請求項２】
前記座部において該座部に設けた前記左右一対の膨縮袋の前側に、座部の幅方向に長く形成した前記膨縮袋を設けたことを特徴とする請求項１記載のマッサージ機。
【請求項３】
前記左右一対からなる膨縮袋の中央に、前記膨縮袋を設けたことを特徴とする請求項１乃至請求項２のいずれか記載のマッサージ機。
【請求項４】
前記座部の前端に足載せ部を設け、該足載せ部において前記膨縮袋を前後一対に設けたことを特徴とする請求項１乃至請求項３のいずれか記載のマッサージ機。
【請求項５】
前記座部の上方左右両側から膨張する前記膨縮袋をそれぞれ設け、該膨縮袋をそれぞれ前後一対に構成したことを特徴とする請求項１乃至請求項４のいずれか記載のマッサージ機。
【発明の詳細な説明】
【技術分野】
【０００１】
本発明は、空気給排装置により膨張及び収縮する膨縮袋を活用して、三次元的なストレッチまたはひねりを実施することができるマッサージ機に関するものである。
【背景技術】
【０００２】
従来、エアポンプ及びエア分配器を備えた空気給排装置による空気の給気及び排気（給排気）により膨張及び収縮（膨縮）を繰り返すエアーバック等の膨縮袋を複数並設したマッサージ機があり、中にはこれら膨縮袋の膨縮作用によって、使用者の身体に対して押圧マッサージを実施するだけでなく、ストレッチやひねり効果をもたらして筋肉の緊張緩和や精神的リラックスへ導くよう構成したものが存在している。
【０００３】
例えば、図１６で示すように、座部１１と、この座部１１の後ろに設けた背凭れ部１２と、座部１１の前に設けたオットマン２０と、座部１１の両側に設けたアームレスト部１４、１５と、各種の操作を行うリモートコントロール装置（リモコン）５０と、座部１１の下側に設けられた給排気装置１００とを有した椅子式のマッサージ装置１０が開示されている。
【０００４】
この背凭れ部１２には、左右に配置された肩用のエアバッグＡ１、Ａ２と背中用のエアバッグＡ３、Ａ４と腰上用のエアバッグＡ５、Ａ６と腰下用のエアバッグＡ７、Ａ８とが設けられている。
【０００５】
前記給排気装置１００は、エアーを給気するためのポンプと、エアバッグＡ１〜Ａ１０を膨縮させるための電磁弁と、各電磁弁を制御する制御装置等とを備えている。制御装置はリモコン５０からの操作信号に基づいて各電磁弁とポンプ等を制御して各種のマッサージを行うようになっている。そして、各電磁弁が開成されると各エアバッグＡ１〜Ａ１０とポンプとが連通して各エアバッグＡ１〜Ａ１０が膨張し、各電磁弁が閉成されると各エアバッグＡ１〜Ａ１０が外気に連通されて各エアバッグＡ１〜Ａ１０は収縮していくようになっている。
【０００６】
このように構成したマッサージ装置１０は、背凭れ部１２において左右対称にそれぞれ複数配置されたエアバッグＡ１〜Ａ８のうち、対称位置にない左右の両エアバッグを膨縮させるように構成したものであるため、体をひねるようなストレッチの体感を得ることができるものとされている。
【０００７】
また、他の従来技術の例として図１７及び図１８に示すマッサージ椅子１があげられる。該マッサージ椅子１は座部２の左右部に、空気によって膨張収縮自在のエアーセル６，７を夫々配設すると共に、該エアーセル６，７に個別に空気を給排する給排気装置を接続した構成となっている。
【０００８】
前記左のエアーセル６に前記給排気装置から空気を圧送すると図１８に示す如く、該エアーセル６が膨張し、該エアーセル６の膨張によって利用者１０の右脚部１２及び右臀部を含む身体の右側全部が持ち上げられ、その作用により身体の左側部近傍が伸展し、次に、該給排気装置によって前記エアーセル６の空気を排出すると、利用者１０の右脚部１２は前記座部２に着座する。
【０００９】
そして、前記エアーセル７の膨張収縮及び前記エアーセル６の膨張収縮を順次繰り返すと、利用者１０の左右の脚部１１，１２は交互に上下動し、これによって利用者１０の脚部、臀部、腰部、及び、身体の左側部近傍並びに右側部近傍の筋肉を伸展収縮させ、ストレッチ運動を行うことができる。
【特許文献１】特開２００５−１５２３８４号公報（第７頁、図１）
【特許文献２】特開２００４−１３５８０７号公報（第７頁、図２及び図３）
【発明の開示】
【発明が解決しようとする課題】
【００１０】
ところで、上記従来の特許文献１に開示されるマッサージ機は背凭れ部において、また特許文献２に開示されるマッサージ機は、座部において、それぞれ二次元的なストレッチまたはひねりをもたらす構成となっている。
【００１１】
すなわち、特許文献１のマッサージ機は、起立状態の背凭れ部における上下方向及び左右方向をそれぞれ軸としたストレッチまたはひねりを可能とする構成ではあるが、該背凭れ部における前後方向を軸とした同様のことが十分に行えず、また特許文献２のマッサージ機は、座部における前後方向及び左右方向をそれぞれ軸としたストレッチまたはひねりを可能とする構成ではあるものの、該座部における上下方向を軸とした同様のことを十分に実施することができない。
【００１２】
そのため、ストレッチまたはひねり効果が身体の施療部位において隈無く行き渡らない部分が生じたり、または二次元的で単調なストレッチまたはひねりのために、使用者に対する満足度は比較的限られたものとなったりすることなどが課題となり、これを克服すべく上下方向及び左右方向、また前後方向をそれぞれ軸とする三次元的なひねりを可能とし、従来になかった隈無く高密度なストレッチまたはひねり効果をもたらすことができるようにしたこの種のマッサージ機の実現が期待されていた。
【００１３】
そこで、本発明は上記問題点を解消する為に成されたものであり、三次元的なストレッチまたはひねりを使用者の身体に行わせ、その効果が及ぶ身体施療部位における密度を高めたマッサージ機を提供する事を目的とするものである。
【課題を解決するための手段】
【００１４】
すなわち、本発明のマッサージ機は、座部と該座部後部で起倒可能に連結する背凭れ部とからなる椅子本体適所に、空気給排装置による空気の給排気により押圧膨縮または押圧膨張保持する膨縮袋を内装したマッサージ機であって、該膨縮袋を座部及び背凭れ部に左右一対としてそれぞれ設けると共に、背凭れ部の起立状態において座部の左右一対からなる膨縮袋のうち片側のみを膨張させると同時に、背凭れ部の左右一対からなる膨縮袋のうち座部で膨張させた膨縮袋とは左右反対側の膨縮袋のみを膨張させるよう構成し、
座部に左右一対として設けた膨縮袋は、それぞれが座部の前後方向の軸である前後軸に向かって内向きに膨張するものとしている。
【００１５】
また、本発明のマッサージ機は、前記背凭れ部に設けた前記左右一対の膨縮袋を上下に複数並設すると共に、上下に隣り合う左右一対の膨縮袋は、相互に対角する各膨縮袋のみが膨張するように構成したものとしている。
【００１６】
さらに、本発明のマッサージ機は、前記座部において該座部に設けた前記左右一対の膨縮袋の前側に、座部の幅方向に長く形成した前記膨縮袋を設けたものとしている。
【００１７】
また、本発明のマッサージ機は、前記左右一対からなる膨縮袋の中央に、前記膨縮袋を設けたものとしている。
【００１８】
さらに、本発明のマッサージ機は、前記座部の前端に足載せ部を設け、該足載せ部において前記膨縮袋を前後一対に設けたものとしている。
【００１９】
さらにまた、本発明のマッサージ機は、前記座部の上方左右両側から膨張する前記膨縮袋をそれぞれ設け、該膨縮袋をそれぞれ前後一対に構成したものとしている。
【発明の効果】
【００２０】
よって、本発明のマッサージ機は、座部と該座部後部で起倒可能に連結する背凭れ部とからなる椅子本体適所に、空気給排装置による空気の給排気により押圧膨縮または押圧膨張保持する膨縮袋を内装したマッサージ機であって、該膨縮袋を座部及び背凭れ部に左右一対としてそれぞれ設けると共に、背凭れ部の起立状態において座部の左右一対からなる膨縮袋のうち片側のみを膨張させると同時に、背凭れ部の左右一対からなる膨縮袋のうち座部で膨張させた膨縮袋とは左右反対側の膨縮袋のみを膨張させるよう構成したものとしているため、二方向のみを軸としてストレッチやひねりを行う二次元的で単調なストレッチしか実施できなかった従来のマッサージ機とは異なり、上下方向と左右方向及び前後方向の三方向を軸とする三次元的で複雑なストレッチやひねりが可能となるため、従来よりも隈無く高密度にストレッチやひねり効果がもたらされ、また使用者の満足度を大幅に高めることができる。またこのような高密度的なストレッチやひねりは、血管やリンパ管等の流れを良好にする他、脂肪燃焼効果をもたらし使用者の健康に寄与する。
【００２１】
また、本発明のマッサージ機は、前記背凭れ部に設けた前記左右一対の膨縮袋を上下に複数並設すると共に、相互に対角する各膨縮袋のみが膨張するようにしたものとしているため、使用者の上半身において、全体的にストレッチやひねり効果を及ぼすことができる。
【００２２】
さらに、本発明のマッサージ機は、前記座部において該座部に設けた前記左右一対の膨縮袋の前側に前記膨縮袋を設けたものとしているため、使用者の臀部から脚部にかかる広範なストレッチやひねりが可能となる。
【００２３】
また、本発明のマッサージ機は、前記左右一対からなる膨縮袋の中央に、前記膨縮袋を設けたものとしているため、局所的なストレッチやひねりが可能となり、またはストレッチやひねりの度合いを使用者の好みに合わせて調節できる。
【００２４】
さらに、本発明のマッサージ機は、前記座部の前端に足載せ部を設け、該足載せ部において前記膨縮袋を前後一対に設けたものとしているため、使用者の脛部におけるストレッチが可能となる。
【００２５】
さらにまた、本発明のマッサージ機は、前記座部の上方左右両側から膨張する前記膨縮袋をそれぞれ設け、該膨縮袋をそれぞれ前後一対に構成したものとしているため、特に使用者の脚部や臀部における三次元的なストレッチやひねりが可能となる。
【発明を実施するための最良の形態】
【００２６】
以下に、本発明のマッサージ機を、図面に示す一実施形態に基づきこれを詳細に説明する。
図１は本発明のマッサージ機の一実施形態を示す斜視図であり、図２は本発明のマッサージ機の一実施形態を示す使用状態図であり、図３乃至図６は本発明のマッサージ機に設けた膨縮袋の膨縮態様の一実施形態を示す斜視図であり、図７は本発明のマッサージ機における背凭れ部を座部に対し折り畳んだ状態の一実施形態を示す右側面図であり、図８は本発明のマッサージ機における背凭れ部の起倒及び足載せ部の出没態様の一実施形態を示す右側面図であり、図９は本発明のマッサージ機における座部及び背凭れ部にそれぞれ設けた膨縮袋の膨縮態様に関する一実施形態を示す右側面図であり、図１０は本発明のマッサージ機における背凭れ部に設けた膨縮袋の膨縮態様に関する一実施形態を示す説明図であり、図１１は本発明のマッサージ機における座部に設けた膨縮袋の膨縮態様に関する一実施形態を示す説明図であり、図１２は本発明のマッサージ機における背凭れ部に設けた膨縮袋の膨縮態様に関する一実施形態を示す説明図であり、図１３は本発明のマッサージ機における座部に設けた膨縮袋の膨縮態様に関する一実施形態を示す説明図であり、図１４は本発明のマッサージ機における椅子本体全域に設けた膨縮袋の膨縮態様に関する平面説明図であり、図１５は本発明のマッサージ機における座部表面及び座部の上方左右両側にそれぞれ設けた膨縮袋の膨縮態様に関する一実施形態を示す説明図である。図１６乃至図１８は従来技術を示す参考図である。
【００２７】
すなわち、本発明のマッサージ機１ａは、図１及び図２の実施形態で示したように、使用者の臀部や大腿部が当接する座部１１ａと、該座部１１ａの後部に位置する使用者の背部や腰部が当接する背凭れ部１２ａとを椅子本体１０ａに設けたものである。
【００２８】
前記背凭れ部１２ａは、前後方向に起倒（リクライニング）可能になっており、また前記座部１１ａの前端には、使用者の脛部を主に載置可能な足載せ部１３ａを前後方向に回動可能に連結している。
【００２９】
これら前記座部１１ａ及び前記背凭れ部１２ａ、また前記足載せ部１３ａは、中空箱状の筐体フレームにスポンジゴム等のクッションを保持させて、その全体をカバーで覆った構成としている。
【００３０】
また、前記座部１１ａの下部には、左右幅方向に直線状に延びる支持パイプ１０１ａを横設しており、該支持パイプ１０１ａの中央下部には、床面に直接して椅子本体１０ａの全体を土台として支持する円形のベース１０２ａが底設されている。
【００３１】
さらに、前記支持パイプ１０１ａの左右両端上部において、使用者の手部及び腕部を載置する左右一対の肘掛け部１４ａ・１４ａを立設させている。該左右一対の肘掛け部１４ａ・１４ａの後端にそれぞれ設けた支軸１４１ａ・１４１ａに前記背凭れ部１２ａが前後方向に回動可能に軸支された構成となっている。該背凭れ部１２ａは該支軸１４１ａを支点として起立状態から後方への倒伏状態までの前後方向における起倒回動が可能であると共に、傾斜角度を調節することができるようにしている。
【００３２】
加えて、図７に示すように前記背凭れ部１２ａを前方へ傾動させて前記座部１１ａと重合させるような態様で、二つ折り状態にすることも可能である。尚、この場合は背凭れ部１２ａの下端で座部１１ａを回動可能に連結させた部分の該連結を解除する。
【００３３】
前記座部１１ａは、図８に示すように前記支持パイプ１０１ａの中央から前方へ延設するスライド機構１５ａにより、前後方向に移動可能となっている。該スライド機構１５ａは、図示しないが進退棒及び該進退棒をスライド可能に嵌合挿入する嵌合パイプとから構成してもよい。
【００３４】
よって、前記背凭れ部１２ａを起立状態から後方へ倒伏させる場合、前記支軸１４１ａよりも背凭れ部１２ａにおける上部分は後方へ傾倒すると共に、前記支軸１４１ａよりも背凭れ部１２ａにおける下部分は前方へ突出することになり、これに伴って前記座部１１ａは前記足載せ部１３ａと共に前記スライド機構１５ａによって前方へスライドすることになる。
【００３５】
尚、図示しないが前記背凭れ部１２ａの起倒機構（図示せず）や前記座部１１ａの前記スライド機構１５ａ、また前記足載せ部１３ａの回動機構（図示せず）に、それぞれ適宜において油圧シリンダや電動アクチュエータを採用できる。
【００３６】
図１に示すように、本発明のマッサージ機１ａは、前記椅子本体１０ａの適所において、空気給排装置３ａによる空気の給排気により押圧膨縮または押圧膨張保持する膨縮袋２ａを内装して構成している。
【００３７】
前記空気給排装置３ａは、図示しないが圧縮空気を発生させるエアポンプと、該圧縮空気を各エアホースに分配する複数の電磁弁からなる分配器と、該分配器の内部機構を電子回路により制御する電子制御回路とから主に構成される。尚、図１に示すように該空気給排装置３ａは前記座部１１ａの下部に配設する前記ベース１０２ａに内装している。
【００３８】
また、前記膨縮袋２ａは、軟質樹脂やナイロンのシートによる溶着成形、または同材質のブロー成形等で製造され、前記空気給排装置３ａの空気の給排気による継続的な膨縮に耐え得るものである。
【００３９】
図１に示すように、前記座部１１ａ及び前記背凭れ部１２ａのそれぞれ左右において、前記膨縮袋２ａ・２ａを左右一対として設けており、これらの各膨縮袋２ａ毎にそれぞれ独立して連通する前記電磁弁を設けているので、多様な押圧形態が可能となる。
【００４０】
すなわち、本発明のマッサージ機１ａは、図３及び図４に示すように前記背凭れ部１２ａの起立状態において、前記座部１１ａの前記左右一対からなる膨縮袋２ａ・２ａのうち片側のみを膨張させると同時に、背凭れ部１２ａの前記左右一対からなる膨縮袋２ａ・２ａのうち座部１１ａで膨張させた膨縮袋２ａとは左右反対側の膨縮袋２ａのみを膨張させるよう構成したものとしている。
【００４１】
例えば図３では、一定時間において前記座部１１ａの右側の前記膨縮袋２ａのみが膨張状態であると同時に、前記背凭れ部１２ａにおいて左側の前記膨縮袋２ａのみが膨張状態となっている場合のものを示している。
【００４２】
また、逆に図４の場合は、一定時間において前記座部１１ａの左側の前記膨縮袋２ａのみが膨張状態であると同時に、前記背凭れ部１２ａにおいて右側の前記膨縮袋２ａのみが膨張状態となっているものを示している。
【００４３】
このような前記座部１１ａ及び前記背凭れ部１２ａにおける前記各膨縮袋２ａの相互的な膨張作用により、特に着座した使用者の臀部から腰部にかかる部位に対して、三次元的なストレッチやひねりを生じさせることができるのである。
【００４４】
つまり、図９に示すように、前記座部１１ａ及び前記背凭れ部１２ａにおける前記各膨縮袋２ａの相互膨張動作により、左右方向（前記椅子本体１０ａの幅方向）の軸である左右軸Ａ１を軸としたストレッチやひねりを生じさせるものとなり、また図１０に示す場合は、背凭れ部１２ａにおいて上下方向（前記椅子本体１０ａの高さ方向）の軸である上下軸Ａ２を軸としたストレッチやひねりを生じさせ、さらに図１１に示す場合は、座部１１ａにおいて前後方向（前記椅子本体１０ａの長さ方向）の軸である前後軸Ａ３を軸としたひねりを生じさせるものとなる。
【００４５】
よって、本発明のマッサージ機１ａは、これら左右軸Ａ１、上下軸Ａ２、前後軸Ａ３の各軸におけるストレッチやひねりを同時に実施する構成のものであるため、三次元的なひねりが実現できるのである。
【００４６】
また、図３と図４で示す前記各膨縮袋２ａの膨張形態を一定の間隔で繰り返すことによって、使用者の臀部から腰部にかかる部位におけるストレッチやひねりを集中的且つ継続的に実施することができる。
【００４７】
尚、前記左右軸Ａ１を軸としたひねりは、前記座部１１ａに対する前記背凭れ部１２ａの起倒動作によっても生じさせることができる。
【００４８】
図５及び図６に示すように本発明のマッサージ機１ａは、前記背凭れ部１２ａにおいて、該背凭れ部１２ａに設けた前記左右一対の膨縮袋２ａ・２ａを上下に複数並設すると共に、相互に対角する各膨縮袋２ａのみが膨張するようにしたものとしている。
【００４９】
例えば図５に示すように、前記背凭れ部１２ａにおける左下側及び右上側の前記各膨縮袋２ａのみが同時に一定時間において膨張状態となるようにし、逆に図６に示すように、前記背凭れ部１２ａにおける左上側及び右下側の前記各膨縮袋２ａのみが同時に一定時間において膨張状態となるようにすることができる。
【００５０】
このような前記背凭れ部１２ａにおける前記各膨縮袋２ａの相互的な膨張作用により、使用者の上半身において全体的なストレッチやひねり効果を及ぼすことができる。また、前記座部１１ａの前記各膨縮袋２ａにおける前述のような膨縮を併合実施させることにより、使用者の上半身における背部から臀部、また脚部にかけて、広い範囲で三次元的なストレッチやひねりを生じさせることができる。
【００５１】
特に前記背凭れ部１２ａにおいて、前記上側左右一対の膨縮袋２ａ・２ａを使用者の背中における左右部位に当接させると共に、下側左右一対の膨縮袋２ａ・２ａを使用者の腰部における左右部位に当接させることにより、図１０に示すような態様で使用者の上半身に対するひねりを実施できる。
【００５２】
さらに、本発明のマッサージ機１ａは、図１に示すように前記座部１１ａにおいて、該座部１１ａに設けた前記左右一対の膨縮袋２ａ・２ａの前側に、もう一つの前記膨縮袋２ａを設けたものとしている。このもう一つの膨縮袋２ａは、座部１１ａにおいて幅方向に長く形成したものとなっている。
【００５３】
これら前記座部１１ａにおける前記左右一対の膨縮袋２ａ・２ａと幅方向に長く形成したもう一つの前記膨縮袋２ａとを交互に膨縮させることにより、使用者の臀部から脚部にかかる広範なストレッチやひねりが可能となる。
【００５４】
また、本発明のマッサージ機１ａは、図１または図１５に示すように前記左右一対からなる膨縮袋２ａ・２ａの中央に、もう一つの前記膨縮袋２ａを設けたものとしている。
【００５５】
すなわち、前記背凭れ部１２ａの上下に設けた前記各左右一対の膨縮袋２ａ・２ａのそれぞれの中央に跨って、上下に長く形成した前記膨縮袋２ａを設けている。
【００５６】
一方、前記座部１１ａの前記各左右一対の膨縮袋２ａ・２ａの中央にも、前後に長く形成した前記膨縮袋２ａを設けている。
【００５７】
例えば図１２に示すように、前記背凭れ部１２ａにおいて前記左右一対の膨縮袋２ａ・２ａと、それらの中央に位置する前記膨縮袋２ａとを交互に膨縮させて、前記上下軸Ａ２を軸とした局所的なストレッチやひねりが行える。
【００５８】
また、前記背凭れ部１２ａにおいて前記左右一対の膨縮袋２ａ・２ａを上下に複数並設する場合、上下に隣接する各膨縮袋２ａを交互に膨縮させると、さらに複雑なストレッチやひねりが生じることになる。
【００５９】
さらに図１３に示すように、前記座部１１ａにおいて前記左右一対の膨縮袋２ａ・２ａと、それらの中央に位置する前記膨縮袋２ａとを交互に膨縮させて、前記前後軸Ａ３を軸とした局所的なストレッチやひねりが行える。
【００６０】
また、前記座部１１ａにおいて前記左右一対の膨縮袋２ａ・２ａを図１５に示すように前後に複数並設する場合、前後に隣接する各膨縮袋２ａを交互に膨縮させると、さらに複雑なストレッチやひねりが生じることになる。
【００６１】
尚、前記座部１１ａ及び前記背凭れ部１２ａにそれぞれ配設した中央の前記各膨縮袋２ａは、左右に配設する前記左右一対の膨縮袋２ａ・２ａとは独立して膨縮させており、該中央の前記各膨縮袋２ａの膨張度合いを調節して、左右一対の膨縮袋２ａ・２ａによるストレッチやひねりの度合いを使用者の好みに合わせられるよう構成できる。
【００６２】
さらに、本発明のマッサージ機１ａは、図１に示すように前記座部１１ａの前端に足載せ部１３ａを設け、該足載せ部１３ａにおいて前記のような膨縮袋２ａを前後一対に設けたものとしている。
【００６３】
この前記足載せ部１３ａにおける前記前後一対の各膨縮袋２ａは、その表面側において足載せ部１３ａの左右幅方向に長く形成する突起部材２２ａをそれぞれ配設している。よって、これら各膨縮袋２ａが膨張すると、該各突起部材２２ａはそれぞれ足載せ部１３ａの表面側へ移動し、該足載せ部１３ａに載置する使用者の両脚部（主に脛部）の裏側を押圧することになり、指圧マッサージが実施できる。
【００６４】
また、前記足載せ部１３ａに設けた前記前後一対の各膨縮袋２ａを交互に且つ一定時間において膨張を繰り返すことにより、使用者の両脚部に対するストレッチが可能となる。
【００６５】
尚、この前記足載せ部１３ａの前記突起部材２２ａは、不使用時において足載せ部１３ａの表面から突出しないように足載せ部１３ａに内設している。
【００６６】
図１４及び図１５に示すように本発明のマッサージ機１ａは、前記座部１１ａの上方左右両側から膨張する前記膨縮袋２ａをそれぞれ設けると共に、該膨縮袋２ａをそれぞれ前後一対に構成したものとしている。
【００６７】
すなわち、この前記座部１１ａの上方左右両側から膨張する前記各膨縮袋２ａを前記左右一対の肘掛け部１４ａ・１４ａの各側面に配設している。尚、他にも図示しないが座部１１ａの左右両端から上方に立ち上がる壁部内面に設けてもよい。
【００６８】
例えば、図１４に示すように一定時間において肘掛け部１４ａの左側側面に設けた前側の前記膨縮袋２ａを膨張させると同時に、肘掛け部１４ａの右側側面に設けた後側の前記膨縮袋２ａを膨張させることができ、また、これら前後一対の各膨縮袋２ａを前後において交互に膨張を繰り返すことによって、使用者の脚部や臀部におけるストレッチやひねりを継続的且つ集中的に実施することができる。
【００６９】
また、図１４に示すように、前記座部１１ａの表面前後に設けた前記左右一対の膨縮袋２ａ・２ａと、該座部１１ａの上方左右両側に設けた前記各膨縮袋２ａとにより、使用者の脚部や臀部における三次元的なストレッチやひねりが実施できる。
【００７０】
すなわち、前記座部１１ａの表面前後に設けた前記左右一対の膨縮袋２ａ・２ａと座部１１ａの上方左右両側に設けた前記各膨縮袋２ａとを、左右のそれぞれ片側毎に連動させるように構成する。
【００７１】
例えば、前記座部１１ａの表面前後に設けた前記各左右一対の膨縮袋２ａ・２ａにおける左右一側前後に位置する各膨縮袋２ａのうち、どちらか片側のみを膨張させると同時に、座部１１ａの上方左右両側に設けた前記各膨縮袋２ａにおける左右同側前後に位置する各膨縮袋２ａのうち、座部１１ａ表面の膨張した膨縮袋２ａとは前後反対側の膨縮袋２ａのみを膨張させるよう構成できる。尚、図１４では座部１１ａ表面において、左後側及び右前側の各膨縮袋２ａをそれぞれ膨張させると同時に、座部１１ａの上方左右両側において、左前側及び右後側の各膨縮袋２ａをそれぞれ膨張させる状態を示している。
【００７２】
さらに図１４は、本発明におけるマッサージ機１ａの前記椅子本体１０ａに配設された前記各膨縮袋２ａをそれぞれ作動させて、前記左右軸Ａ１、前記上下軸Ａ２、前記前後軸Ａ３の三つ全てを軸とした三次元的なストレッチまたはひねりを実施する構成のものを示している。
【００７３】
具体的には、前記背凭れ部１２ａにおいて、使用者の頸部付近及び背部、また腰部のそれぞれに前記左右一対の膨縮袋２ａ・２ａを設け、また前記座部１１ａ表面においては、使用者の臀部裏面及び大腿部裏面のそれぞれに前記左右一対の膨縮袋２ａ・２ａを、また座部１１ａの左右両側においては、使用者の臀部側面及び大腿部側面のそれぞれに前記前後一対の膨縮袋２ａ・２ａを設け、さらに前記足載せ部１３ａにおいて、使用者の脛部及び足首部のそれぞれに前記左右一対の膨縮袋２ａ・２ａを設けており、頸部位置右側、背部位置左側、腰部位置右側、臀部裏面位置左側、大腿部裏面位置右側、臀部側面位置右側、大腿部側面位置左側、脛部位置左側、足首部位置右側の各膨縮袋２ａを同時に膨張させており、一定時間の経過後膨張状態の各膨縮袋２ａを収縮させると同時に収縮状態の各膨縮袋２ａを膨張させるようにして、一定時間における各膨縮袋２ａの膨張保持状態と収縮状態を繰り返すよう構成できる。
【００７４】
図１５に示すのは、使用者の臀部を効率的に上方へ持ち上げてストレッチさせる構成を示している。すなわち、前記座部１１ａの表面において前記左右一対の膨縮袋２ａ・２ａを設けると共に、各膨縮袋２ａは座部１１ａの中央側にそれぞれ止着部２１ａにて止着したものとしている。
【００７５】
また、前記座部１１ａの上方左右両側、または前記左右一対の肘掛け部１４ａ・１４ａの側面にもそれぞれ前記膨縮袋２ａを設けており、該各膨縮袋２ａはその上側に設けた止着部２１ａで止着している。
【００７６】
よって図１５に示すように、例えば前記座部１１ａ表面右側の前記膨縮袋２ａは、右側から中央上方へ向かう方向で膨張して使用者の右側臀部を上方へ押し上げる際、座部１１ａの上方右側または右側の前記肘掛け部１４ａの側面に設けた前記膨縮袋２ａも右側から中央上方へ向かう方向で膨張して、前記座部１１ａにおいて使用者の上半身の重量のほとんどがかかる臀部の持ち上げを補助することができるのである。
【００７７】
これまで説明してきた本発明のマッサージ機１ａに適用する前記各膨縮袋２ａは、膨張幅や膨張方向に応じて適宜重合させてもよい。尚、図１で示した実施形態は、前記背凭れ部１２ａの最下位に設けた前記左右一対の膨縮袋２ａ・２ａ及び前記座部１１ａの最後位に設けた前記左右一対の膨縮袋２ａ・２ａをそれぞれ重合状したものとしている。
【図面の簡単な説明】
【００７８】
【図１】本発明のマッサージ機の一実施形態を示す斜視図である。
【図２】本発明のマッサージ機の一実施形態を示す使用状態図である。
【図３】本発明のマッサージ機に設けた膨縮袋の膨縮態様の一実施形態を示す斜視図である。
【図４】本発明のマッサージ機に設けた膨縮袋の膨縮態様の一実施形態を示す斜視図である。
【図５】本発明のマッサージ機に設けた膨縮袋の膨縮態様の一実施形態を示す斜視図である。
【図６】本発明のマッサージ機に設けた膨縮袋の膨縮態様の一実施形態を示す斜視図である。
【図７】本発明のマッサージ機における背凭れ部を座部に対し折り畳んだ状態の一実施形態を示す右側面図である。
【図８】本発明のマッサージ機における背凭れ部の起倒及び足載せ部の出没態様の一実施形態を示す右側面図である。
【図９】本発明のマッサージ機における座部及び背凭れ部にそれぞれ設けた膨縮袋の膨縮態様に関する一実施形態を示す右側面図である。
【図１０】本発明のマッサージ機における背凭れ部に設けた膨縮袋の膨縮態様に関する一実施形態を示す説明図である。
【図１１】本発明のマッサージ機における座部に設けた膨縮袋の膨縮態様に関する一実施形態を示す説明図である。
【図１２】本発明のマッサージ機における背凭れ部に設けた膨縮袋の膨縮態様に関する一実施形態を示す説明図である。
【図１３】本発明のマッサージ機における座部に設けた膨縮袋の膨縮態様に関する一実施形態を示す説明図である。
【図１４】本発明のマッサージ機における椅子本体全域に設けた膨縮袋の膨縮態様に関する平面説明図である。
【図１５】本発明のマッサージ機における座部表面及び座部の上方左右両側にそれぞれ設けた膨縮袋の膨縮態様に関する一実施形態を示す説明図である。
【図１６】従来技術を示す参考図である。
【図１７】従来技術を示す参考図である。
【図１８】従来技術を示す参考図である。
【符号の説明】
【００７９】
１ａ  マッサージ機
１０ａ  椅子本体
１０１ａ  支持パイプ
１０２ａ  ベース
１１ａ  座部
１２ａ  背凭れ部
１３ａ  足載せ部
１４ａ  肘掛け部
１４１ａ  支軸
１５ａ  スライド機構
２ａ  膨縮袋
２１ａ  止着部
２２ａ  突起部材
３ａ  空気給排装置
Ａ１  左右軸
Ａ２  上下軸
Ａ３  前後軸
【図１】
0005474281.tif 000002
【図２】
0005474281.tif 000003
【図３】
0005474281.tif 000004
【図４】
0005474281.tif 000005
【図５】
0005474281.tif 000006
【図６】
0005474281.tif 000007
【図７】
0005474281.tif 000008
【図８】
0005474281.tif 000009
【図９】
0005474281.tif 000010
【図１０】
0005474281.tif 000011
【図１１】
0005474281.tif 000012
【図１２】
0005474281.tif 000013
【図１３】
0005474281.tif 000014
【図１４】
0005474281.tif 000015
【図１５】
0005474281.tif 000016
【図１６】
0005474281.tif 000017
【図１７】
0005474281.tif 000018
【図１８】
0005474281.tif 000019